(57)【要約】【課題】位置情報を利用することによって携帯端末のプレゼンス情報やマナーモードの自動設定をすることが可能なシステムを提供する。【解決手段】シチュエーション特定サーバ３０は、ＧＰＳ衛星５０からのＧＰＳ信号より算出された位置情報（緯度と経度）に基づいて、地図情報管理テーブルから該当する目標物の地図情報を選択するとともに、連続した複数の位置情報を用いて携帯電話端末１０の速度と加速度を計算する。その上で同サーバ３０は、得られた地図情報、速度および加速度に応じて当該端末１０のシチュエーションを特定する。【選択図】図１
2007189594.tif 000002
【特許請求の範囲】
【請求項１】
位置情報を生成するための信号を発する信号発信手段から該信号を受信する携帯端末の受信手段と、
受信された前記信号に基づいて該携帯端末の位置情報を生成する測位手段と、
生成された位置情報に基づいて前記携帯端末の状態を特定する状態特定手段と、
を備えることを特徴とする携帯端末の状態管理システム。
【請求項２】
携帯端末を特定するための識別情報と各携帯端末の前記状態とを関連付けて管理する管理手段
をさらに備えることを特徴とする請求項１に記載の携帯端末の状態管理システム。
【請求項３】
前記状態特定手段は、
地図上の各種目標物に対して位置情報を記憶する記憶手段を有しており、
前記測位手段により生成された位置情報に対応する目標物を前記記憶手段から選択し、選択された目標物に従って該携帯端末の状態を特定する
ことを特徴とする請求項１または請求項２に記載の携帯端末の状態管理システム。
【請求項４】
前記状態特定手段は、
前記位置情報を複数用い該携帯端末の移動速度を計算する速度計算手段をさらに備え、
前記測位手段により生成された位置情報に対応する目標物を前記記憶手段から選択し、選択された該目標物と前記計算された移動速度に従って該携帯端末の状態を特定する
ことを特徴とする請求項３に記載の携帯端末の状態管理システム。
【請求項５】
前記状態特定手段は、
前記位置情報を複数用い該携帯端末の加速度を計算する加速度計算手段をさらに備え、
前記測位手段により生成された位置情報に対応する目標物を前記記憶手段から選択し、選択された該目標物と前記計算された移動速度および加速度に従って該携帯端末の状態を特定する
ことを特徴とする請求項４に記載の携帯端末の状態管理システム。
【請求項６】
前記携帯端末は、
前記状態特定手段によって得られた該携帯端末の状態に従って該携帯端末の動作を制御する制御手段を備える
ことを特徴とする請求項１から請求項５のいずれかの項に記載の携帯端末の状態管理システム。
【請求項７】
前記状態特定手段によって特定された状態に従って動作を制御する制御手段を備える請求項１から請求項５のいずれかの項に記載の携帯端末。
【請求項８】
位置情報を生成するための信号を発する信号発信手段から携帯端末が該信号を受信するステップと、
受信された前記信号に基づいて該携帯端末の位置情報を生成するステップと、
生成された位置情報に基づいて前記携帯端末の状態を特定するステップと、
を備えることを特徴とする携帯端末の状態管理方法。
【発明の詳細な説明】
【技術分野】
【０００１】
本発明は、プレゼンス情報やマナーモードを自動で設定するシステム、方法、および携帯端末に関する。
【背景技術】
【０００２】
コンピュータのネットワークにおいて、リアルタイムで文字ベースの会話やメッセージの送受信を行える、チャットやインスタントメッセージといったサービスが広く普及している。これらのアプリケーションでは、相手を呼び出す前にその相手がネットワークに接続したオンライン状態にあるかどうかを知ることができる、プレゼンス機能が利用されている。プレゼンス機能は、ネットワーク側のサーバにユーザの接続情報を登録管理しておくことで実現される。
【０００３】
また、近年、携帯電話サービスや携帯電話端末の高機能化が著しく、モバイル分野でも上記のインスタントメッセージやＰｏＣ（Push to talk over Cellular）のサービスが開始され、若しくは普及しつつある。これらのアプリケーションもリアルタイム系のサービスであるため、上述した従来からのコンピュータ分野の場合と同様、プレゼンス機能も併せて提供されることが多い。なお、ＰｏＣとは携帯電話を使って一対多のトランシーバ的な通話を可能とするサービスである。
【０００４】
携帯電話のようなモバイルの分野でプレゼンス機能を利用する場合、ユーザの居場所や会議中である等の状態を表したプレゼンス情報は、ユーザのシチュエーション（電車で移動中とか会議中とか）が変更する度にユーザ自身が手動で端末を操作し、設定や切り替えを行なう必要がある。しかしそのような操作を一々行うのは非常に面倒であるため、ユーザが逐一情報の更新をしないことも多い。その結果、サーバで管理するプレゼンス情報が正確なものでなくなり、ひいてはプレゼンス機能そのものの利用促進を妨げる要因となってしまっている。
【０００５】
一方、ＧＰＳ（Global Positioning System）衛星や携帯電話の基地局からの信号を利用して移動端末の位置情報を取得する技術は既に実用化されており、またその位置精度も高い（例えば、非特許文献１参照）。
ここで、現在一般的に普及している位置情報コンテンツサービスについて説明する。図１０は、同サービスを提供するシステムの構成を示したものである。
【０００６】
ＧＰＳ衛星５０は、測位サーバ２０が携帯電話端末１０の位置を計算するための所定のＧＰＳ信号を発信している。携帯電話端末１０は、ＧＰＳ信号を受信して測位サーバ２０へ送信し、測位サーバ２０は、そのＧＰＳ信号に対して所定の演算を行い、携帯電話端末１０が存在している場所の位置情報（緯度と経度）を算出する。その位置情報は携帯電話端末１０へ送り返される。
【０００７】
携帯電話端末１０は次に、得られた位置情報を位置情報コンテンツサーバ７０へ送信して、コンテンツの提供を要求する。ここで位置情報コンテンツサーバ７０には、地図情報や各種店舗の情報等がデータベース化されて格納されている。位置情報コンテンツサーバ７０は、携帯電話端末１０から送られた緯度・経度をデータベースに基づいて地図上にマッピングし、地図画像データを生成する。そしてこの地図画像データは携帯電話端末１０への応答として返され、その端末画面上に表示されてユーザに利用される。
【非特許文献１】“ユビキタス時代を支えるプレゼンスサービス基盤”、［ｏｎｌｉｎｅ］、２００４年７月、〈http://magazine.fujitsu.com/vol55-4/paper16.pdf〉
【発明の開示】
【発明が解決しようとする課題】
【０００８】
しかしながら、このような従来の位置情報コンテンツサービスでは、単に緯度・経度の位置情報や地図画像データを算出、生成しているだけであって、ユーザがどこにいてどのような状態にあるのか、例えば「電車内」なのか「コンサートホール内」なのか、あるいは車で「ドライブ中」なのか、といったプレゼンスを判断している訳ではない。したがって、現在の位置情報コンテンツサービスの技術では、ユーザの行動に応じてプレゼンス情報を自動的に更新することは不可能である。
【０００９】
本発明は上記の点に鑑みてなされたものであり、その目的は、位置情報を利用することによってプレゼンス情報やマナーモードの自動設定をすることが可能なシステムを提供することにある。
【課題を解決するための手段】
【００１０】
本発明は上記の課題を解決するためになされたものであり、請求項１に記載の発明は、位置情報を生成するための信号を発する信号発信手段から該信号を受信する携帯端末の受信手段と、受信された前記信号に基づいて該携帯端末の位置情報を生成する測位手段と、生成された位置情報に基づいて前記携帯端末の状態を特定する状態特定手段と、を備えることを特徴とする携帯端末の状態管理システムである。
【００１１】
また、請求項２に記載の発明は、請求項１に記載の携帯端末の状態管理システムにおいて、携帯端末を特定するための識別情報と各携帯端末の前記状態とを関連付けて管理する管理手段をさらに備えることを特徴とする。
【００１２】
また、請求項３に記載の発明は、請求項１または請求項２に記載の携帯端末の状態管理システムにおいて、前記状態特定手段は、地図上の各種目標物に対して位置情報を記憶する記憶手段を有しており、前記測位手段により生成された位置情報に対応する目標物を前記記憶手段から選択し、選択された目標物に従って該携帯端末の状態を特定することを特徴とする。
【００１３】
また、請求項４に記載の発明は、請求項３に記載の携帯端末の状態管理システムにおいて、前記状態特定手段は、前記位置情報を複数用い該携帯端末の移動速度を計算する速度計算手段をさらに備え、前記測位手段により生成された位置情報に対応する目標物を前記記憶手段から選択し、選択された該目標物と前記計算された移動速度に従って該携帯端末の状態を特定することを特徴とする。
【００１４】
また、請求項５に記載の発明は、請求項４に記載の携帯端末の状態管理システムにおいて、前記状態特定手段は、前記位置情報を複数用い該携帯端末の加速度を計算する加速度計算手段をさらに備え、前記測位手段により生成された位置情報に対応する目標物を前記記憶手段から選択し、選択された該目標物と前記計算された移動速度および加速度に従って該携帯端末の状態を特定することを特徴とする。
【００１５】
また、請求項６に記載の発明は、請求項１から請求項５のいずれかの項に記載の携帯端末の状態管理システムにおいて、前記携帯端末は、前記状態特定手段によって得られた該携帯端末の状態に従って該携帯端末の動作を制御する制御手段を備えることを特徴とする。
【００１６】
また、請求項７に記載の発明は、前記状態特定手段によって特定された状態に従って動作を制御する制御手段を備える請求項１から請求項５のいずれかの項に記載の携帯端末である。
【００１７】
また、請求項８に記載の発明は、位置情報を生成するための信号を発する信号発信手段から携帯端末が該信号を受信するステップと、受信された前記信号に基づいて該携帯端末の位置情報を生成するステップと、生成された位置情報に基づいて前記携帯端末の状態を特定するステップと、を備えることを特徴とする携帯端末の状態管理方法である。
【発明の効果】
【００１８】
本発明によれば、信号発信手段からの信号により携帯端末の位置情報を生成し、その位置情報に基づいて携帯端末の状態が特定されるので、当該状態に応じてプレゼンス情報等を自動で設定することができる。
【発明を実施するための最良の形態】
【００１９】
以下、図面を参照しながら本発明の実施形態について詳しく説明する。
図１は、本発明の一実施形態である携帯端末の状態管理システムの構成を示したものである。同図において、本システムは携帯電話端末１０と、測位サーバ２０と、シチュエーション特定サーバ３０と、プレゼンス情報管理サーバ４０とから構成される。各サーバはネットワーク上に配置されている。携帯電話端末１０は、測位サーバ２０およびプレゼンス情報管理サーバ４０と通信可能である。
なお、本明細書では、特許請求の範囲における「携帯端末」として携帯電話端末１０を想定して説明を行うが、その他ＰＤＡ（Personal Digital Assistance）やＰＨＳ（Personal Handyphone System）端末のような携帯型無線端末についても同様に適用することが可能である。
【００２０】
携帯電話端末１０は、ＧＰＳ衛星５０から所定のＧＰＳ信号を受信して、測位サーバ２０にＧＰＳ情報を送信する。測位サーバ２０は、所定の演算によりそのＧＰＳ情報を処理し、携帯電話端末１０が存在している場所の位置情報として緯度と経度を算出する。本システムは、ここまでの部分については、既に実用化されている周知のＧＰＳ技術を利用する。
【００２１】
得られた位置情報は、シチュエーション特定サーバ３０へ送られる。シチュエーション特定サーバ３０は、その位置情報を基に後述の処理を行って、携帯電話端末１０の位置とシチュエーションを特定する。ここで、シチュエーションとは、単に緯度や経度の数値情報やそれを地図上にマッピングした画像情報ではなく、その位置がどのような場所であるのか、例えばコンサートホール内なのか道路上なのか線路上（電車内）なのか、といった内容を表す情報である。特定されたシチュエーション情報はプレゼンス情報管理サーバ４０へ送信される。
【００２２】
プレゼンス情報管理サーバ４０は、シチュエーション情報を各携帯電話端末から収集して、端末毎にプレゼンス情報として管理する。また、そのプレゼンス情報は携帯電話端末１０に戻されて、当該端末のマナーモードを自動設定するために利用される。
なお、上記の各サーバ、すなわち測位サーバ２０、シチュエーション特定サーバ３０、プレゼンス情報管理サーバ４０は、ハードウェア的に別々の構成としてもよいし、同一のハードウェア内に構成してもよい。
【００２３】
図２は、シチュエーション特定サーバ３０の機能ブロック図である。同図において、シチュエーション特定サーバ３０は、位置情報受信部３１と、速度・加速度計算部３２と、シチュエーション特定部３３と、地図情報データベース３４と、シチュエーション情報送信部３５とを有している。
【００２４】
位置情報受信部３１は、測位サーバ２０から送られる位置情報（緯度と経度）を受信して、それを速度・加速度計算部３２とシチュエーション特定部３３に転送する。
速度・加速度計算部３２は、時間的に連続した位置情報（ＧＰＳによる測位は所定の時間間隔（例えば数秒程度）で行われているものとする）を用いて携帯電話端末１０の速度ｖと加速度ａを計算し、その結果をシチュエーション特定部３３に出力する。ここで、時刻ｔｋにおいて測位された緯度と経度によって表される位置座標をｘｋとする。このとき、速度・加速度計算部３２では次式に従って速度と加速度を計算するものとする。
ｖｉ＝Δｘ／Δｔ＝（ｘｉ−ｘｉ−１）／（ｔｉ−ｔｉ−１）
ａｉ＝Δｖ／Δｔ＝（ｖｉ−ｖｉ−１）／（ｔｉ−ｔｉ−１）
【００２５】
シチュエーション特定部３３は、測位サーバ２０から得た位置情報を地図情報データベース３４に照会して、該当する地図情報を取り出す。そしてこの地図情報と、速度・加速度計算部３２により得られた速度および加速度とに基づいて、携帯電話端末１０のシチュエーションを特定する。その具体的な処理内容を図３のフローチャートに沿って以下説明する。
【００２６】
まず、シチュエーション特定部３３は、地図情報データベース３４内に記憶されている地図情報管理テーブルを呼び出し、処理対象である位置情報の緯度と経度に該当する地図情報（目標物）を検索する（ステップＳ１）。図４は、地図情報管理テーブルの一例である（図５は同テーブルのデータを図式化したイメージ図である）。このテーブルには、地図情報として、ＡＢコンサートホールやＣ線路やＤＥＦ道路などが登録されている。また、各地図情報に対応する緯度と経度が指定されている。この指定の方法は、地図情報のそれぞれにつき一箇所でも複数箇所でもよいし、緯度と経度をポイントではなく範囲で指定するようにしてもよい。
【００２７】
シチュエーション特定部３３は、上記の検索処理の結果として、与えられた位置情報と一致する緯度および経度を有する地図情報、若しくは一致するものがテーブルに登録されていない場合には、最も近い緯度および経度を有する地図情報を選択する（ステップＳ２）。例えば、測位サーバ２０から送られた位置情報が「北緯Ａ度Ａ分Ａ秒、東経Ａ度Ａ分Ａ秒」であったとすると、シチュエーション特定部３３は地図情報「ＡＢコンサートホール」を選択して取り出す。地図情報「Ｃ線路」や「ＤＥＦ道路」についても同様である。なお、「ＤＥＦ道路」については、一地点の位置情報だけで判断しないで、位置情報が連続的にＤ地点、Ｅ地点、Ｆ地点と変化したときに「ＤＥＦ道路」を選択するようにしてもよい。
【００２８】
こうして地図情報が特定されると、次にシチュエーション特定部３３は、特定された地図情報に従って携帯電話端末１０のシチュエーションを特定する。はじめに、得られた地図情報が「線路」であるかどうかが判定される（ステップＳ３）。その結果、「線路」であった場合にはシチュエーションは「電車内」と判断される（ステップＳ７）。また、「線路」でない場合はステップＳ４に進み、地図情報が「道路」であるかどうかが判定される。そして、「道路」でない場合にはさらに当該地図情報が表す建物や場所が識別されて（ステップＳ５）、その建物や場所がシチュエーションとなる（ステップＳ１０）。例えば、地図情報が「ＡＢコンサートホール」のときは、シチュエーションは「コンサートホール内」と判断される。
【００２９】
一方、地図情報が「道路」であった場合（ステップＳ４で“ＹＥＳ”）には、シチュエーション特定部３３は、速度・加速度計算部３２より取得した速度と加速度の情報を取り入れることによって、さらに詳しいシチュエーションの判断を行う。すなわち、携帯電話端末１０の速度と加速度が考慮されて、ユーザが歩いているか自動車に乗っているかの判定が行われる（ステップＳ６）。具体的な手順は次の通りである。
【００３０】
携帯電話端末１０の速度と加速度をｖ携帯、ａ携帯で表し、人間が歩いたときの速度と加速度の上限値をｖ徒歩、ａ徒歩で表すことにする。ｖ携帯、ａ携帯は速度・加速度計算部３２からの入力値である。まず、ｖ携帯＞ｖ徒歩である場合には、ユーザは自動車に乗っていると判定する。また、ｖ携帯≦ｖ徒歩であってａ携帯＞ａ徒歩である場合にも、自動車と判定する。そしてこれ以外の場合には、ユーザは歩いていると判定する。
シチュエーション特定部３３は、上記ステップＳ６において、自動車に乗っていると判定された場合はシチュエーションを「ドライブ中」と判断し（ステップＳ８）、歩いていると判定された場合はシチュエーションを「道路上（徒歩）」と判断する（ステップＳ９）。
【００３１】
こうしてステップＳ７〜ステップＳ１０において特定されたシチュエーション情報は、シチュエーション情報送信部３５からプレゼンス情報管理サーバ４０へと送信される。
【００３２】
図６は、プレゼンス情報管理サーバ４０の機能ブロック図である。同図においてプレゼンス情報管理サーバ４０は、シチュエーション情報受信部４１と、プレゼンス情報管理部４２と、プレゼンスサービス提供部４３と、プレゼンス情報送信部４４とを有している。シチュエーション特定サーバ３０から送信されたシチュエーション情報は、シチュエーション情報受信部４１により受信されてプレゼンス情報管理部４２へと送られる。プレゼンス情報管理部４２は、プレゼンス情報管理テーブルを用いて携帯電話端末ごとにプレゼンス情報を管理する。
【００３３】
プレゼンス情報管理テーブルの一例を図７に示す。同テーブルには、携帯電話端末を特定する情報としてその端末の電話番号と、各端末のプレゼンス情報とが対応付けられて記憶されている。このテーブル内のプレゼンス情報欄には、シチュエーション特定サーバ３０から送られるシチュエーション情報が書き込まれる。また、その情報は、新しいシチュエーション情報が送られてくる度に、最新の情報への更新が行われる。なお、携帯電話端末を特定する情報は、電話番号の代わりにＩＰアドレス等でもよい。また、その特定情報は、あらかじめプレゼンス情報管理サーバ４０内に記憶しておくこともできるし、携帯電話端末１０から最初に位置情報を送信する際に、その位置情報に添付するようにしてもよい。
【００３４】
プレゼンスサービス提供部４３は、プレゼンスサービスに登録しているユーザからの問い合わせがあると、その問い合わせで指定された携帯電話端末のプレゼンス情報を上記のプレゼンス情報管理テーブルから呼び出して、問い合わせ元のユーザに当該プレゼンス情報を提供する。例えばプレゼンス情報をＰｏＣサービスに利用する場合、あるグループに所属する複数のメンバのプレゼンス情報がプレゼンス情報管理テーブルに更新管理されており、ＰｏＣの通話を行う際、グループメンバのプレゼンス情報がプレゼンスサービス提供部４３から各メンバに配布される。
また、プレゼンス情報送信部４４からは、携帯電話端末１０に対して当該端末のプレゼンス情報が送信される。このプレゼンス情報は、次に述べるように同端末１０のマナーモードを制御するために利用される。
【００３５】
図８は、携帯電話端末１０の機能ブロック図である。ただし、通常の電話機能やＧＰＳ機能については省略している。同図において、携帯電話端末１０は、プレゼンス情報受信部１１と、マナーモード設定部１２とを有している。プレゼンス情報受信部１１は、プレゼンス情報管理サーバ４０から送られたプレゼンス情報を受信して、マナーモード設定部１２へ転送する。
【００３６】
マナーモード設定部１２は、各種の状況に対応して設定パラメータを登録したマナーモード管理テーブルを有しており、転送されたプレゼンス情報に従ってマナーモードの設定を行う。図９はマナーモード管理テーブルの一例である。例えば、プレゼンス情報が「電車内」であったとすると、同テーブルの設定パラメータに基づいて、音量は「０」に、バイブレーション機能は「ＯＮ」に、留守電機能は「ＯＮ」に、それぞれ設定される。
【００３７】
このように、本実施形態によれば、携帯電話端末１０により受信されたＧＰＳ衛星５０からのＧＰＳ信号が測位サーバ２０において処理され、当該携帯電話端末の位置情報である緯度と経度が算出される。シチュエーション特定サーバ３０は、この位置情報に基づいて、地図情報管理テーブルから該当する目標物の地図情報を選択するとともに、連続した複数の位置情報を用いて携帯電話端末１０の速度と加速度を計算する。その上で、同サーバ３０は、得られた地図情報、速度および加速度に応じて当該端末１０のシチュエーションを特定する。プレゼンス情報管理サーバ４０はこのシチュエーションをプレゼンス情報として管理し、また携帯電話端末１０はプレゼンス情報を受け取ってそれに従い自らのマナーモードを設定する。これにより、位置情報を利用して携帯電話端末１０のプレゼンスを自動で更新し、管理することが可能となり、ユーザが手作業でプレゼンス情報を更新する煩わしさが解消してプレゼンス機能の利用が促進される。また、プレゼンス情報の更新と連動してマナーモードが設定されるので、携帯電話端末の利便性が向上する。
【００３８】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、ＧＰＳ衛星５０からのＧＰＳ信号の代わりに、携帯電話システムの基地局から所定の制御信号を発信し、この制御信号によって携帯電話端末１０の位置情報を算出するようにすることもできる。
【図面の簡単な説明】
【００３９】
【図１】本発明の一実施形態である携帯端末の状態管理システムの構成図である。
【図２】シチュエーション特定サーバの機能ブロック図である。
【図３】シチュエーション特定部の処理を示したフローチャートである。
【図４】地図情報管理テーブルの一例である。
【図５】地図情報管理テーブルの内容を図式化したものである。
【図６】プレゼンス情報管理サーバの機能ブロック図である。
【図７】プレゼンス情報管理テーブルの一例である。
【図８】携帯電話端末の機能ブロック図である。
【図９】マナーモード管理テーブルの一例である。
【図１０】従来の位置情報コンテンツサービスのシステム構成図である。
【符号の説明】
【００４０】
１０…携帯電話端末  １１…プレゼンス情報受信部  １２…マナーモード設定部  ２０…測位サーバ  ３０…シチュエーション特定サーバ  ３１…位置情報受信部  ３２…速度・加速度計算部  ３３…シチュエーション特定部  ３４…地図情報データベース  ３５…シチュエーション情報送信部  ４０…プレゼンス情報管理サーバ  ４１…シチュエーション情報受信部  ４２…プレゼンス情報管理部  ４３…プレゼンスサービス提供部  ４４…プレゼンス情報送信部  ５０…ＧＰＳ衛星  ７０…位置情報コンテンツサーバ
【図１】
2007189594.tif 000003
【図２】
2007189594.tif 000004
【図３】
2007189594.tif 000005
【図４】
2007189594.tif 000006
【図５】
2007189594.tif 000007
【図６】
2007189594.tif 000008
【図７】
2007189594.tif 000009
【図８】
2007189594.tif 000010
【図９】
2007189594.tif 000011
【図１０】
2007189594.tif 000012